(57)【特許請求の範囲】
【請求項１】
利用者を被写体として撮影し、得られた撮影画像に対して利用者に編集入力を行わせ、前記撮影画像を所定のシール紙に印刷する写真シール作成装置であって、
上下方向に駆動可能で、前記利用者を含む画像を取り込み、前記利用者を撮影するカメラと、
前記カメラが上に位置し、かつ、前記カメラのズーム機能がズームアウトするように調整された場合、前記カメラにより取り込まれた取り込み画像における前記被写体の、前記カメラのレンズの光軸を中心とした回転方向の傾きの角度を所定角度とし、前記カメラが下に位置する場合、前記取り込み画像における前記被写体の傾きの角度を０度とする設定手段と
を備える写真シール作成装置。
【請求項２】
前記設定手段は、前記カメラを光軸を中心に回転させることで、前記取り込み画像における前記被写体の傾きを設定する
請求項１に記載の写真シール作成装置。
【請求項３】
前記設定手段は、前記取り込み画像を回転してトリミングすることで、前記取り込み画像における前記被写体の傾きを設定する
請求項１に記載の写真シール作成装置。
【請求項４】
前記カメラは、光軸を中心に予め前記所定角度だけ回転されており、
前記設定手段は、前記取り込み画像を前記所定角度に応じて回転してトリミングすることで、前記取り込み画像における前記被写体の傾きを設定する
請求項１に記載の写真シール作成装置。
【請求項５】
前記カメラは、下に位置する場合、前記被写体の顔または上半身を撮影し、上に位置する場合、前記被写体の全身を撮影する
請求項１乃至４のいずれかに記載の写真シール作成装置。
【請求項６】
前記カメラは、下に位置する場合、前記被写体から見て前方正面から前記被写体を撮影し、上に位置する場合、前記被写体から見て前方斜め上から前記被写体を撮影する
請求項５に記載の写真シール作成装置。
【請求項７】
利用者を被写体として撮影し、得られた撮影画像に対して利用者に編集入力を行わせ、前記撮影画像を所定のシール紙に印刷する写真シール作成装置の写真シール作成方法であって、
上下方向に駆動可能で、前記利用者を含む画像を取り込み、前記利用者を撮影するカメラの駆動を制御する駆動制御ステップと、
前記カメラが上に位置し、かつ、前記カメラのズーム機能がズームアウトするように調整された場合、前記カメラにより取り込まれた取り込み画像における前記被写体の、前記カメラのレンズの光軸を中心とした回転方向の傾きの角度を所定角度とし、前記カメラが下に位置する場合、前記取り込み画像における前記被写体の傾きの角度を０度とする設定ステップと
を含む写真シール作成方法。
【請求項８】
利用者を被写体として撮影し、得られた撮影画像に対して利用者に編集入力を行わせ、前記撮影画像を所定のシール紙に印刷する処理をコンピュータに実行させるプログラムであって、
上下方向に駆動可能で、前記利用者を含む画像を取り込み、前記利用者を撮影するカメラの駆動を制御する駆動制御ステップと、
前記カメラが上に位置し、かつ、前記カメラのズーム機能がズームアウトするように調整された場合、前記カメラにより取り込まれた取り込み画像における前記被写体の、前記カメラのレンズの光軸を中心とした回転方向の傾きの角度を所定角度とし、前記カメラが下に位置する場合、前記取り込み画像における前記被写体の傾きの角度を０度とする設定ステップと
を含む処理をコンピュータに実行させるプログラム。
【発明の詳細な説明】
【技術分野】
【０００１】
本発明は、写真シール作成装置および方法、並びにプログラムに関し、特に、利用者にとってより満足度の高い画像を提供することができるようにする写真シール作成装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は、娯楽（遊戯）施設等に設置され、女子高校生や女子中学生を中心とする利用者に有料でサービスを提供する。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
このような写真シール機の中には、上下方向に駆動するカメラを備え、カメラが下側に位置する下カメラの状態では、被写体の顔または上半身を撮影したアップ画像が得られ、カメラが上側に位置する上カメラの状態では、被写体の全身を撮影した全身画像が得られるようにしたものがある（例えば、特許文献１参照）。
【０００５】
また、正方形や長方形の撮影画像を編集操作によって回転させ、斜めになった編集済み画像をシール紙に印刷することで、面白みのあるシール紙を提供する写真シール機がある（例えば、特許文献２参照）。
【０００６】
さらに、撮影画像を反映させる撮影画像反映領域を含むレイアウトパターンに、その撮影画像反映領域に応じて撮影画像を回転、縮尺変更、位置合わせ等して合成するようにした写真シール機がある（例えば、特許文献３参照）。
【先行技術文献】
【特許文献】
【０００７】
【特許文献１】特開２００９−１６９２０６号公報
【特許文献２】特開２０１０−６１３３８号公報
【特許文献３】特開２０１１−１０１５０号公報
【発明の概要】
【発明が解決しようとする課題】
【０００８】
しかしながら、特許文献１の写真シール機では、カメラの上下位置に応じて、アップ画像と全身画像とが得られるものの、それらには、被写体が大きく写るか小さく写るかの違いがある程度であり、被写体が直立して写る全身画像においては、被写体以外の領域（背景等）の割合が大きくなってしまっていた。
【０００９】
また、特許文献２の写真シール機では、撮影時に、利用者が回転後の画像を想定して撮影作業を行うことはできなかった。
【００１０】
さらに、特許文献３の写真シール機では、レイアウトパターンの撮影画像反映領域にはめ込むように撮影画像が合成されるため、撮影画像において利用されない部分が生じたり、被写体部分が小さくなってしまっていた。
【００１１】
このように、上述した写真シール機では、特に全身画像として、利用者の思い通りに被写体部分が強調された撮影画像を得ることができなかった。
【００１２】
本発明は、このような状況に鑑みてなされたものであり、利用者にとってより満足度の高い画像を提供することができるようにするものである。
【課題を解決するための手段】
【００１３】
本発明の一側面の写真シール作成装置は、利用者を被写体として撮影し、得られた撮影画像に対して利用者に編集入力を行わせ、前記撮影画像を所定のシール紙に印刷する写真シール作成装置であって、上下方向に駆動可能で、前記利用者を含む画像を取り込み、前記利用者を撮影するカメラと、前記カメラが上に位置し、かつ、前記カメラのズーム機能がズームアウトするように調整された場合、前記カメラにより取り込まれた取り込み画像における前記被写体の、前記カメラのレンズの光軸を中心とした回転方向の傾きの角度を所定角度とし、前記カメラが下に位置する場合、前記取り込み画像における前記被写体の傾きの角度を０度とする設定手段とを備える。
【００１６】
前記設定手段には、前記カメラを光軸を中心に回転させることで、前記取り込み画像における前記被写体の傾きを設定させることができる。
【００１７】
前記設定手段には、前記取り込み画像を回転してトリミングすることで、前記取り込み画像における前記被写体の傾きを設定させることができる。
【００１８】
前記カメラは、光軸を中心に予め前記所定角度だけ回転されており、前記設定手段には、前記取り込み画像を前記所定角度に応じて回転してトリミングすることで、前記取り込み画像における前記被写体の傾きを設定させることができる。
【００１９】
前記カメラには、下に位置する場合、前記被写体の顔または上半身を撮影させ、上に位置する場合、前記被写体の全身を撮影させることができる。
【００２０】
前記カメラには、下に位置する場合、前記被写体から見て前方正面から前記被写体を撮影させ、上に位置する場合、前記被写体から見て前方斜め上から前記被写体を撮影させることができる。
【００２１】
本発明の一側面の写真シール作成方法は、利用者を被写体として撮影し、得られた撮影画像に対して利用者に編集入力を行わせ、前記撮影画像を所定のシール紙に印刷する写真シール作成装置の写真シール作成方法であって、上下方向に駆動可能で、前記利用者を含む画像を取り込み、前記利用者を撮影するカメラの駆動を制御する駆動制御ステップと、前記カメラが上に位置し、かつ、前記カメラのズーム機能がズームアウトするように調整された場合、前記カメラにより取り込まれた取り込み画像における前記被写体の、前記カメラのレンズの光軸を中心とした回転方向の傾きの角度を所定角度とし、前記カメラが下に位置する場合、前記取り込み画像における前記被写体の傾きの角度を０度とする設定ステップとを含む。
【００２２】
本発明の一側面のプログラムは、本発明の一側面の写真シール作成方法は、利用者を被写体として撮影し、得られた撮影画像に対して利用者に編集入力を行わせ、前記撮影画像を所定のシール紙に印刷する処理をコンピュータに実行させるプログラムであって、上下方向に駆動可能で、前記利用者を含む画像を取り込み、前記利用者を撮影するカメラの駆動を制御する駆動制御ステップと、前記カメラが上に位置し、かつ、前記カメラのズーム機能がズームアウトするように調整された場合、前記カメラにより取り込まれた取り込み画像における前記被写体の、前記カメラのレンズの光軸を中心とした回転方向の傾きの角度を所定角度とし、前記カメラが下に位置する場合、前記取り込み画像における前記被写体の傾きの角度を０度とする設定ステップとを含む処理をコンピュータに実行させる。
【００２３】
本発明においては、所定方向に駆動可能で、利用者を含む画像を取り込み、利用者を撮影するカメラの駆動が制御され、カメラが上に位置し、かつ、カメラのズーム機能がズームアウトするように調整された場合、カメラにより取り込まれた取り込み画像における被写体の、カメラのレンズの光軸を中心とした回転方向の傾きの角度が所定角度とされ、カメラが下に位置する場合、取り込み画像における被写体の傾きの角度が０度とされる。
【発明の効果】
【００２４】
本発明によれば、利用者にとってより満足度の高い画像を提供することが可能となる。
【図面の簡単な説明】
【００２５】
【図１】写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】撮影・表示ユニットの詳細な構成例を示す図である。
【図６】カメラの詳細な構成例を示す図である。
【図７】カメラ支持部の構成例を示す図である。
【図８】背景部の構成例を示す図である。
【図９】背景部の床の外観の構成例を示す図である。
【図１０】床の傾斜により得られる効果について説明する図である。
【図１１】背景部のクロマキー用シートについて説明する図である。
【図１２】編集部の構成例を示す図である。
【図１３】事後接客部の構成例を示す図である。
【図１４】写真シール作成装置の内部の構成例を示すブロック図である。
【図１５】制御部の詳細な構成例を示す機能ブロック図である。
【図１６】撮影処理部の詳細な構成例を示す機能ブロック図である。
【図１７】写真シール作成ゲームを提供する処理について説明するフローチャートである。
【図１８】撮影処理の例について説明するフローチャートである。
【図１９】撮影処理の例について説明するフローチャートである。
【図２０】撮影処理の例について説明するフローチャートである。
【図２１】下カメラアップ撮影時のライブビュー画像について説明する図である。
【図２２】上カメラ全身撮影時のライブビュー画像について説明する図である。
【図２３】目サイズ選択画面の例を示す図である。
【図２４】明るさ選択画面の例を示す図である。
【図２５】撮影処理の他の例について説明するフローチャートである。
【図２６】撮影処理の他の例について説明するフローチャートである。
【図２７】下カメラアップ撮影時のライブビュー画像について説明する図である。
【図２８】撮影処理のさらに他の例について説明するフローチャートである。
【図２９】撮影処理のさらに他の例について説明するフローチャートである。
【図３０】上カメラ全身撮影時のライブビュー画像について説明する図である。
【図３１】撮影処理部の他の構成例を示す機能ブロック図である。
【図３２】撮影処理のさらに他の例について説明するフローチャートである。
【図３３】台形画像変換処理について説明する図である。
【図３４】台形画像変換処理について説明する図である。
【発明を実施するための形態】
【００２６】
以下、本発明を適用した具体的な実施の形態について、図面を参照しながら詳細に説明する。
【００２７】
［写真シール作成装置の外観構成］
図１は、本発明の一実施形態に係る写真シール作成装置１の外観の構成例を示す斜視図である。
【００２８】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２９】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３０】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３１】
撮影ユニット１１は、撮影部２１と背景部２２から構成される。撮影部２１と背景部２２は所定の距離だけ離れて設置され、撮影部２１と背景部２２の間に形成される空間である撮影空間において撮影作業が行われる。
【００３２】
撮影部２１は撮影作業を利用者に行わせる装置である。撮影部２１は、撮影空間に入り、撮影作業を行っている利用者の正面に位置する。撮影空間を正面に臨む面を構成する撮影部２１の正面パネル４１には、撮影作業時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂ（図示せず）により構成される。
【００３３】
背景部２２は、正面を向いて撮影作業を行っている利用者の背面側に位置する板状の部材である背面パネル５１、背面パネル５１の左端に取り付けられ、側面パネル４２Ａとほぼ同じ幅の板状の部材である側面パネル５２Ａ、および、背面パネル５１の右端に取り付けられ、側面パネル４２Ｂとほぼ同じ幅の板状の部材である側面パネル５２Ｂ（図２）から構成される。
【００３４】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３５】
撮影部２１の側面パネル４２Ａ、連結部２３Ａ、および背景部２２の側面パネル５２Ａに囲まれることによって形成される開口が撮影空間の出入り口Ｇ１となる。なお、図示はしないが、撮影部２１の側面パネル４２Ｂ、連結部２３Ｂ、および背景部２２の側面パネル５２Ｂに囲まれることによって形成される開口も撮影空間の出入り口Ｇ２となる。
【００３６】
撮影空間の上方には、撮影部２１の正面パネル４１、連結部２３Ａ、連結部２３Ｂ、および背景部２２の背面パネル５１に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３７】
なお、撮影空間にいる利用者の正面−背面方向を奥行き方向とすると、撮影ユニット１１の寸法（奥行き、幅、および高さ）は、例えば、1850mm×1800mm×2225mmとされる。
【００３８】
編集部１２は、撮影作業によって得られた画像を編集する編集作業を利用者に行わせる装置である。編集部１２は、一方の側面が撮影部２１の正面パネル４１の背面に接するように撮影ユニット１１に連結して設けられる。編集部１２には、編集作業時に利用者により用いられるタブレット内蔵モニタなどの構成が設けられる。
【００３９】
図１に示す編集部１２の構成を正面側の構成とすると、２組の利用者が同時に編集作業を行うことができるように、編集部１２の正面側と背面側には編集作業に用いられる構成がそれぞれ設けられる。
【００４０】
編集部１２の正面側は、床面に対して垂直な面であり、側面パネル４２Ａとほぼ平行な面である面７１と、面７１の上方に形成された斜面７２から構成され、編集作業に用いられる構成が斜面７２に設けられる。斜面７２の左側には、柱状の形状を有し、照明装置７４の一端を支持する支持部７３Ａが設けられる。斜面７２の右側にも、照明装置７４の他端を支持する支持部７３Ｂ（図２）が設けられる。さらに、支持部７３Ａの左側には、板状の形状を有し、事後接客部１３が連結して設けられる支持部７３Ｃが設けられる。また、支持部７３Ｃの上面にはカーテンレール２６を支持する支持部７５が設けられる。
【００４１】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４２】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集作業を行う編集空間となる。
【００４３】
図２は、写真シール作成装置１を別の角度から見た斜視図である。
【００４４】
事後接客部１３は利用者に対して事後接客を行う装置である。事後接客では、撮影画像や編集済みの画像が携帯電話機などの携帯端末に送信される。
【００４５】
図２に示すように、事後接客部１３は、所定の厚さを有する板状の筐体を有しており、その背面が編集部１２の左側面に接するように編集部１２に連結して設けられる。事後接客部１３の正面には、事後接客時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者に対して事後接客を行う事後接客空間となる。
【００４６】
ここで、写真シール作成ゲームの流れと、それに伴う利用者の移動について図３を参照して説明する。図３は、写真シール作成装置１を上から見た平面図である。
【００４７】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影作業を行う。
【００４８】
撮影作業を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４９】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集作業を開始する。編集空間Ａ２−１の利用者と、編集空間Ａ２−２の利用者は同時に編集作業を行うことができる。
【００５０】
編集作業が終了した後、撮影画像や編集済みの画像の中から選択された画像の印刷が開始される。画像の印刷中、編集作業を終えた利用者は、編集空間Ａ２−１で編集作業を行っていた場合には白抜き矢印＃５で示すように編集空間Ａ２−１から事後接客空間Ａ３に移動して事後接客を受ける。また、編集作業を終えた利用者は、編集空間Ａ２−２で編集作業を行っていた場合には白抜き矢印＃６で示すように編集空間Ａ２−２から事後接客空間Ａ３に移動し、事後接客空間Ａ３において事後接客を受ける。
【００５１】
画像の印刷が終了したとき、利用者は、事後接客部１３に設けられた排出口からシール紙を受け取り、一連の写真シール作成ゲームを終えることになる。
【００５２】
次に、各装置の構成について説明する。
【００５３】
［撮影部の構成］
図４は、撮影部２１の構成例を示す図である。撮影部２１は、正面パネル４１、側面パネル４２Ａ、および側面パネル４２Ｂが、箱状の形状を有するベース部４３に取り付けられることによって構成される。
【００５４】
正面パネル４１は撮影空間Ａ１で撮影作業を行う利用者の正面に位置し、側面パネル４２Ａと側面パネル４２Ｂは、それぞれ、撮影空間Ａ１で撮影作業を行う利用者の左側、右側に位置する。側面パネル４２Ａの上方には連結部２３Ａが固定され、側面パネル４２Ｂの上方には連結部２３Ｂが固定される。
【００５５】
正面パネル４１のほぼ中央には撮影・表示ユニット８１が設けられる。撮影・表示ユニット８１は、カメラ９１、カメラストロボ９２、およびタッチパネルモニタ９３から構成される。
【００５６】
カメラ９１は、CCD(Charge Coupled Device)などの撮像素子を有する撮像装置を含むように構成され、撮影空間Ａ１にいる利用者を撮影する。カメラ９１により取り込まれた動画像（ライブビュー画像）は、タッチパネルモニタ９３にリアルタイムで表示される。利用者により撮影が指示されたときなどの所定のタイミングでカメラ９１により取り込まれた画像は撮影画像（静止画像）として保存される。なお、カメラ９１により取り込まれた画像、すなわち、ライブビュー画像および撮影画像を併せて、以下、取り込み画像ともいう。
【００５７】
カメラ９１の背面側には、カメラストロボ９２が設けられ、カメラ９１は、カメラストロボ９２の表面側で上下方向に駆動（移動）するようになされている。カメラストロボ９２は、発光面を構成するアクリル板と、その背後に設けられる蛍光灯等の照明装置とから構成され、他のストロボと同様にカメラ９１による撮影に合わせて発光する。カメラストロボ９２においては、カメラ９１の上下方向の位置に応じて露出する部分が発光面となる。つまり、カメラストロボ９２は、カメラ９１の上下方向の位置に応じて、被写体としての利用者の顔付近をカメラ９１の上方または下方から照射する。
【００５８】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５９】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６０】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６１】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影作業の内容に応じて適宜調整される。
【００６２】
また、足元ストロボ８６の右側には、利用者がお金を投入する硬貨投入返却口８７が設けられる。
【００６３】
さらに、下ストロボ８５の上側であって、タッチパネルモニタ９３の左側には、利用者を左下前方から照射するモニタ左ストロボ８８が設けられ、タッチパネルモニタ９３の右側には、利用者を右下前方から照射するモニタ右ストロボ８９が設けられる。
【００６４】
なお、各ストロボ内部には、蛍光灯以外の照明装置が設けられてもよい。
【００６５】
下ストロボ８５を挟んでベース部４３の上面の左右に形成されるスペース４３Ａおよび４３Ｂは、撮影作業を行う利用者が手荷物等を置くための荷物置き場として用いられる。また、正面パネル４１の例えば天井付近には、利用者に撮影作業を行わせる撮影処理の案内音声、BGM(Back Ground Music)、効果音等の音を出力するスピーカも設けられる。
【００６６】
ここで、カメラ９１の上下方向の駆動について説明する。
【００６７】
撮影処理においては、カメラ９１の上下方向の位置が、被写体としての利用者を、利用者から見て前方略正面から撮影する位置と、利用者から見て前方斜め上から撮影する位置とになるように、カメラ９１を上下方向に駆動させて撮影が行われる。
【００６８】
以下、適宜、利用者を前方略正面から撮影する位置にあるカメラ９１を下カメラといい、利用者を前方斜め上から撮影する位置にあるカメラ９１を上カメラという。
【００６９】
［撮影・表示ユニットの構成例］
図５は、上下方向に駆動するカメラ９１を含む撮影・表示ユニット８１の詳細な構成例を示している。
【００７０】
図５Ａに示されるように、撮影・表示ユニット８１は、縦長の直方体の形状を有する筐体の一側面に、カメラ９１、カメラストロボ９２、およびタッチパネルモニタ９３が設けられることで構成される。カメラ９１およびカメラストロボ９２の周囲には、それらを囲うような額縁状のカバー９４が設けられており、カメラ９１は、カバー９４の開口部の範囲内で上下方向に駆動する。
【００７１】
図５Ｂは、図５Ａの状態から、タッチパネルモニタ９３およびカバー９４を取り外した撮影・表示ユニット８１を示している。図５Ｂに示されるように、カメラ９１は、カメラストロボ９２の発光面を構成するアクリル板９５と一体に構成されており、アクリル板９５は、カメラ９１とともに上下方向に駆動する。また、カメラ９１は、カメラ支持部９６によってその側面が支持されており、カメラ支持部９６に設けられたガイド溝に従って上下方向に駆動する。
【００７２】
図５Ｃは、図５Ｂの状態から、アクリル板９５を取り外した撮影・表示ユニット８１を示している。図５Ｃに示されるように、カメラ９１の背面上方には、カメラ上蛍光灯９７Ｕが設けられ、カメラ９１の背面下方には、カメラ下蛍光灯９７Ｄが設けられている。カメラ９１は、カメラストロボ９２を構成する照明装置としてのカメラ上蛍光灯９７Ｕおよびカメラ下蛍光灯９７Ｄと一体に構成されており、カメラ上蛍光灯９７Ｕおよびカメラ下蛍光灯９７Ｄは、カメラ９１とともに上下方向に駆動する。
【００７３】
つまり、図５Ａに示されるように、カメラ９１がカバー９４の開口部の下端に位置し、下カメラの状態となるとき、カメラ９１の上側のアクリル板９５が露出し、カメラ上蛍光灯９７Ｕが発光することで、カメラストロボ９２は、被写体としての利用者の顔付近をカメラ９１の上方から照射する。
【００７４】
また、図示はしないが、カメラ９１がカバー９４の開口部の上端に位置し、上カメラの状態となるとき、カメラ９１の下側のアクリル板９５が露出し、カメラ下蛍光灯９７Ｄが発光することで、カメラストロボ９２は、被写体としての利用者の顔付近をカメラ９１の下方から照射する。
【００７５】
［カメラの構成例］
図６は、カメラ９１の詳細な構成例を示している。
【００７６】
カメラ９１は、撮像装置であるカメラ本体９１Ｍがケース９１Ｃに搭載されて構成される。カメラ９１には、所定の駆動機構により、カメラ本体９１Ｍのレンズの光軸に平行な軸を中心に回転する回転部９１Ｒが設けられている。また、カメラ本体９１Ｍの焦点距離を調整するズームリング９１Ｆの円周面に設けられたギアと、回転部９１Ｒの一端に設けられたギア（図示せず）とは、内側にリブが設けられたタイミングベルト９１Ｂにより連結されている。
【００７７】
すなわち、回転部９１Ｒが回転することにより、タイミングベルト９１Ｂを介してズームリング９１Ｆが回転し、カメラ本体９１Ｍの焦点距離が調整されるようになされている。これにより、例えば、カメラ９１が下カメラの状態において、ズームインするように焦点距離を調整し、カメラ９１が上カメラの状態において、ズームアウトするように焦点距離を調整することができる。
【００７８】
また、ケース９１Ｃの側面には、突起物P1，P2が設けられている。カメラ９１は、突起物P1，P2がそれぞれ、図７に示されるようなカメラ支持部９６に設けられたガイド溝g1，g2に沿ってガイドされることで上下方向に駆動する。ガイド溝g1，g2は、カメラ支持部９６を貫通するように形成されてもよいし、貫通しないように形成されてもよい。また、図７に示されるように、ガイド溝g2は、ガイド溝g1の上端に対応する位置より上では、ガイド溝g1の上端を中心に孤を描くように形成されている。これにより、突起物P1，P2がそれぞれ、ガイド溝g1の上端、および、ガイド溝g2のガイド溝g1の上端に対応する位置に達した後、カメラ９１は、ガイド溝g1の上端を中心に、図中左方向に所定角度だけ回転（前傾）し、撮影空間の下方向を撮影するようになる。
【００７９】
具体的には、カメラ９１が下カメラの状態のとき、写真シール作成装置１の設置面からカメラ９１のレンズ中心までの高さは1440mm、焦点距離は22mm、レンズの光軸と水平面とのなす角度（前傾角度）は14°とされる。また、カメラ９１が上カメラの状態のとき、写真シール作成装置１の設置面からカメラ９１のレンズ中心までの高さは1550mm、焦点距離は10mm、レンズの光軸と水平面とのなす角度（前傾角度）は33°とされる。
【００８０】
このような構造により、カメラ９１が下カメラの状態のときには、利用者は前方略正面から撮影され、カメラ９１が上カメラの状態のときには、利用者は前方斜め上から撮影されるようになる。
【００８１】
また、カメラ９１においては、カメラ本体９１Ｍが、そのレンズの光軸を中心に回転するようになされている。
【００８２】
［背景部の構成］
図８は、背景部２２の撮影空間Ａ１側の構成例を示す図である。図８Ａは、背景部２２の構成例を示す正面図であり、図８Ｂは、背景部２２の構成例を示す斜視図である。
【００８３】
背面パネル５１の上方のほぼ中央には、撮影空間Ａ１内で撮影作業を行っている利用者を後方中央から照射する背面中央ストロボ１０１が取り付けられる。
【００８４】
背面パネル５１の上方であって、出入り口Ｇ１側の位置には、撮影空間Ａ１内で撮影作業を行っている利用者を左後方から照射する背面左ストロボ１０２が取り付けられる。また、背面パネル５１の上方であって、出入り口Ｇ２側の位置には、撮影空間Ａ１内で撮影作業を行っている利用者を右後方から照射する背面右ストロボ１０３が取り付けられる。
【００８５】
また、背面パネル５１の下側で、撮影空間Ａ１において側面パネル５２Ａおよび側面パネル５２Ｂに挟まれる部分には、床１０４が設けられている。床１０４は、図９に示されるように、背面パネル５１側に近いほど高くなるように、写真シール作成装置１が設置される設置面に対して、例えば７°等の傾斜が設けられている。
【００８６】
なお、撮影空間にいる利用者の正面−背面方向を奥行き方向とすると、床１０４の寸法（奥行き、幅、および背面パネル５１側の高さ）は、例えば、550mm×1710mm×80mmとされる。
【００８７】
［床の傾斜により得られる効果］
ここで、図１０を参照して、床１０４に傾斜を設けることによって得られる効果について説明する。
【００８８】
図１０には、撮影空間Ａ１において、上カメラの状態のカメラ９１によって撮影される被写体（利用者）１１１が示されている。被写体の全身を撮影しようとする場合、上カメラによる撮影によれば、下カメラによる撮影と比較して、顔が大きく写るので、顔が強調された撮影画像を得ることができる。また、下カメラにより得られる全身画像より、上カメラにより得られる全身画像の方が、画像における被写体の割合を高めることができる。このように、上カメラによる撮影は、被写体の全身画像を得るのに好適とされている。
【００８９】
例えば、一般的な写真シール作成装置の撮影空間において、図１０Ａに示されるように、被写体１１１がカメラ９１に顔を近づけるように前傾姿勢をとった場合には、顔がより強調された撮影画像を得ることができる。
【００９０】
さらに、本発明の写真シール作成装置１のように傾斜を設けた床１０４を備えることで、図１０Ｂに示されるように、被写体１１１のかかと部分がヒールのある靴を履いているときと同じ状態となり、カメラ９１の撮像面に対する足の甲の長さが、図１０Ａの場合より長くなるので、より足が長く見える撮影画像を得ることができる。
【００９１】
特に、ヒールのある靴を履いた場合の地面と足の裏のなす角度が７°のときに最も足が長く見えるものとすると、床１０４の傾斜を７°とすることで、例えば学校指定のヒールの低い靴を履いている女子中高生であっても、ヒールのある靴を履いたときと同様に、より足が長く見える撮影画像を得ることができる。
【００９２】
また、図１０Ａに示されるように、被写体１１１が前傾姿勢をとってカメラ９１を見た場合、顎の下から首にかけての部分１１１ｎがストロボによって照射されてしまうので、撮影画像においては、顔の輪郭がわかりにくく、必要以上に顔が大きく見えてしまう恐れがある。
【００９３】
一方、図１０Ｂのように床１０４を備えることで、被写体１１１は、図１０Ａのように前傾姿勢にならず、顎を出さない姿勢で撮影することができるので、顎の下から首にかけての部分１１１ｎに影ができ、撮影画像においては、顔の輪郭が強調されて、必要以上に顔が大きく見えることを避けることができる。
【００９４】
さらに、図１０Ａにおいて、被写体１１１が前傾姿勢をとらずにカメラ９１を見た場合、撮影画像においては、上目遣いをした顔となってしまう。一方、図１０Ｂのように床１０４を備えることで、被写体１１１の視線が高くなるので、被写体１１１は、カメラ９１を自然に見ることができ、撮影画像においては、上目遣いをした顔となることを避けることができる。
【００９５】
［クロマキー用シートについて］
また、本実施の形態においては、背景部２２の撮影空間Ａ１側に、背景に利用する巻き取り式の背景カーテンや、クロマキー用のカーテンとして使用する昇降式カーテンを設けず、背景部２２を構成する背面パネル５１、側面パネル５２Ａ，５２Ｂ、および床１０４の表面にクロマキー用のシートが貼付される。
【００９６】
図１１は、背景部２２の撮影空間Ａ１側に貼付されるクロマキー用シートについて説明する図である。
【００９７】
図１１に示されるように、背面パネル５１にはクロマキー用シート１２１Ａが貼付され、側面パネル５２Ｂの下部にはクロマキー用シート１２１Ｂが貼付され、床１０４の斜面部分にはクロマキー用シート１２１Ｃが貼付される。クロマキー用シート１２１Ａ乃至１２１Ｃは、緑色のクロマキー用シートであり、これにより、いわゆるグリーンバック合成が行われる。なお、図示はしないが、側面パネル５２Ａの下部にもクロマキー用シート１２１Ｂと同様のクロマキー用シート１２１Ｃ’が貼付される。なお、図１１に示されるように、クロマキー用シート１２１Ｂは、側面パネル５２Ｂの下部のみに貼付されるものとしたが、側面パネル５２Ｂにおいてクロマキー用シート１２１Ｂが貼付される部分は、カメラ９１の画角に入る部分より広ければよく、例えば側面パネル５２Ｂの全面であってもよい。また、側面パネル５２Ａに貼付されるクロマキー用シート１２１Ｃ’についても同様である。
【００９８】
クロマキー用シート１２１Ａ，１２１Ｂ，１２１Ｃはそれぞれ、同一の材質で構成されるようにしてもよいし、異なる材質で構成されるようにしてもよい。具体的には、例えば、撮影空間Ａ１の背面となるクロマキー用シート１２１Ａを布製とし、側面となるクロマキー用シート１２１Ｂを樹脂製または布製とし、クロマキー用シート１２１Ｃをゴム等の樹脂製としてもよい。
【００９９】
［編集部の構成］
図１２は、編集部１２の正面側（編集空間Ａ２−１側）の構成例を示す図である。
【０１００】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【０１０１】
タブレット内蔵モニタ１３１は、タッチペン１３２Ａまたは１３２Ｂを用いて操作入力が可能なタブレットがLCDなどの編集用モニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【０１０２】
編集部１２の左側には事後接客部１３が設けられる。
【０１０３】
［事後接客部の構成］
図１３は、事後接客部１３の正面側の構成例を示す図である。
【０１０４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどの事後接客用モニタに重畳して設けられることによって構成される。タブレット内蔵モニタ１６１には、撮影画像や編集済みの画像を携帯電話機などの携帯端末に送信する事後接客処理に用いられる画面が表示される。
【０１０５】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【０１０６】
非接触型ICリーダ／ライタ１６３は、近接された非接触型ICと通信を行い、非接触型ICからのデータの読み出しや非接触型ICに対するデータの書き込みを行う。
【０１０７】
シール紙排出口１６４には、編集空間Ａ２−１の利用者が編集作業を行うことによって作成した画像が印刷されたシール紙、または、編集空間Ａ２−２の利用者が編集作業を行うことによって作成した画像が印刷されたシール紙が排出される。編集部１２の内部にはプリンタが設けられており、画像の印刷がそのプリンタにより行われる。
【０１０８】
スピーカ１６５は、事後接客処理の案内音声、BGM、効果音等の音を出力する。
【０１０９】
［写真シール作成装置の内部構成］
次に、写真シール作成装置１の内部構成について説明する。図１４は、写真シール作成装置１の内部の構成例を示すブロック図である。上述した構成と同じ構成には同じ符号を付してある。なお、重複する説明については適宜省略する。
【０１１０】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【０１１１】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１１２】
通信部２０３はインターネットなどのネットワークのインタフェースであり、制御部２０１による制御に従って外部の装置と通信を行う。
【０１１３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１１４】
ROM２０６には、制御部２０１において実行されるプログラムやデータが記憶されている。RAM２０７は、制御部２０１が処理するデータやプログラムを一時的に記憶する。
【０１１５】
撮影部２０８は、撮影空間Ａ１における撮影処理を行う構成である硬貨処理部２２１、照明装置２２２、カメラ９１、タッチパネルモニタ９３、およびスピーカ２２３から構成される。
【０１１６】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１１７】
照明装置２２２は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６、モニタ左ストロボ８８、モニタ右ストロボ８９と、背景部２２に設けられる背面中央ストロボ１０１、背面左ストロボ１０２，背面右ストロボ１０３が設けられている。
【０１１８】
また、照明装置２２２は、制御部２０１による制御に従って発光量を調整することによって、利用者が行っている撮影作業の段階に応じて撮影空間Ａ１内の明るさを調整する。
【０１１９】
カメラ９１は、制御部２０１による制御に従って撮影を行い、撮影によって得られた画像を制御部２０１に出力する。
【０１２０】
スピーカ２２３は、利用者に撮影作業を行わせる撮影処理の案内音声、BGM、効果音等の音を出力する。
【０１２１】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１２２】
タブレット内蔵モニタ１３１は、制御部２０１による制御に従って、内蔵する編集用モニタに編集画面を表示し、編集画面（内蔵するタブレット）に対する利用者の操作を検出する。利用者の操作の内容を表す信号は制御部２０１に供給され、編集対象の撮影画像の編集が行われる。
【０１２３】
スピーカ２３１は、利用者に編集作業を行わせる編集処理の案内音声、BGM、効果音等の音を出力する。
【０１２４】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、スピーカ１６５、印刷処理を行う構成であるプリンタ２４１、およびシール紙ユニット２４２から構成される。
【０１２５】
タブレット内蔵モニタ１６１は、制御部２０１による制御に従って、内蔵する事後接客用モニタに事後接客に用いられる画面を表示し、その画面（内蔵するタブレット）に対する利用者の操作を検出する。利用者の操作の内容を表す信号は制御部２０１に供給され、事後接客が行われる。
【０１２６】
プリンタ２４１は、撮影画像、または編集処理によって得られた編集済みの画像を、プリンタ２４１に装着されたシール紙ユニット２４２に収納されているシール紙に印刷し、シール紙排出口１６４に排出する。
【０１２７】
［制御部の構成］
次に、制御部２０１について説明する。図１５は、制御部２０１がROM２０６などに格納されているプログラムを実行することにより実現される機能ブロックの構成例を示している。
【０１２８】
制御部２０１は、写真シール作成ゲームを開始する際に投入される代金に関する処理や利用者グループを撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者グループを接客する写真シール作成ゲームの事後接客の工程に関する処理を行う事後接客処理部３０４を有する。
【０１２９】
つまり、制御部２０１は、写真シール作成ゲームの各工程に関する処理の制御を行う。
【０１３０】
［撮影処理部の構成］
図１６は、図１５の撮影処理部３０１のさらに詳細な構成例を示す機能ブロック図である。
【０１３１】
図１６の例において、撮影処理部３０１は、進行制御部３１１、撮影パラメータ設定部３１２、ライブビュー表示制御部３１３、撮影画像取得部３１４、カメラ駆動制御部３１５、および傾き設定部３１６から構成される。
【０１３２】
進行制御部３１１は、撮影作業の工程の進行を制御する。
【０１３３】
撮影パラメータ設定部３１２は、写りや明るさ、目のサイズ等の撮影に関するパラメータの設定に関する処理を行う。
【０１３４】
ライブビュー表示制御部３１３は、タッチパネルモニタ９３の表示（ライブビュー表示）に関する処理を行う。
【０１３５】
撮影画像取得部３１４は、撮影、特に、撮影画像の取得に関する処理を行う。
【０１３６】
カメラ駆動制御部３１５は、カメラ９１の駆動に関する処理を行う。
【０１３７】
傾き設定部３１６は、カメラ９１の上下位置に応じて、撮影画像における被写体の傾きを設定する処理を行う。
【０１３８】
［写真シール作成装置の動作］
次に、図１７のフローチャートを参照して、写真シール作成ゲームを提供する写真シール作成装置１の処理について説明する。
【０１３９】
ステップＳ１において、写真シール作成装置１の制御部２０１の撮影処理部３０１は、所定の金額分の硬貨が投入されたか否かを硬貨処理部２２１から供給される信号に基づいて判定し、投入されたと判定するまで待機する。
【０１４０】
硬貨が投入されたとステップＳ１において判定した場合、ステップＳ２において、撮影処理部３０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。なお、撮影処理については、図１８乃至図２０のフローチャートを参照して後述する。
【０１４１】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２３から出力させることによって行われる。
【０１４２】
ステップＳ４において、編集処理部３０２は、編集空間Ａ２−１と編集空間Ａ２−２のうち、撮影処理を終えた利用者の移動先とした方の編集空間に対応する編集部２０９を制御し、編集処理を行う。具体的には、編集処理部３０２は、編集対象画像として選択された撮影画像に合成する合成用画像を利用者に選択させ、選択された合成用画像を撮影画像に合成させ、得られた合成画像に対して、利用者による編集操作に従って編集を行う。
【０１４３】
ステップＳ５において、編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１４４】
ステップＳ６において、印刷処理部３０３は、利用者により選択された画像をプリンタ２４１に出力してシール紙に印刷させる印刷処理を行う。
【０１４５】
ステップＳ７において、事後接客処理部３０４は、事後接客部２１０を制御し、印刷終了待機中の利用者に対する事後接客処理を行う。具体的には、事後接客処理部３０４は、撮影画像や編集済みの画像を携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１４６】
印刷が終了すると、ステップＳ８において、事後接客処理部３０４は、印刷が終了した旨をタブレット内蔵モニタ１６１に表示させ、プリンタ２４１は、画像が印刷されたシール紙をシール紙排出口１６４に排出し、処理を終了させる。
【０１４７】
［撮影処理の例］
次に、図１８乃至図２０のフローチャートを参照して、上述した写真シール作成ゲームの一連の処理におけるステップＳ２の撮影処理の流れの例を説明する。
【０１４８】
ステップＳ３１において、撮影パラメータ設定部３１２は、写り選択画面をタッチパネルモニタ９３に表示させ、利用者による写り選択を受け付ける。写り選択は、色合いやシャープネス等の、画像の画質の選択である。撮影パラメータ設定部３１２は、利用者により選択された写りに応じて、カメラ９１により撮影された画像の画質を調整する。
【０１４９】
ステップＳ３２において、進行制御部３１１は、撮影方法のガイダンス画面をタッチパネルモニタ９３に表示させる。具体的には、利用者の顔または上半身を前方略正面から撮影する下カメラアップ撮影を行う旨のガイダンス画面を表示する。すなわち、このとき、カメラ９１は、下カメラの状態とされる。ガイダンス画面を表示した後、撮影画像取得部３１４は、カメラ９１を制御し、画像の取り込みを開始させる。
【０１５０】
ステップＳ３３において、ライブビュー表示制御部３１３は、カメラ９１により取り込まれた動画像（ライブビュー画像）をタッチパネルモニタ９３に表示させる（ライブビュー表示を行う）。
【０１５１】
図２１は、下カメラアップ撮影時にタッチパネルモニタ９３に表示されるライブビュー画像について説明する図である。
【０１５２】
図２１Ａは、カメラ９１により取り込まれたライブビュー原画像４０１を示している。このライブビュー原画像４０１は、図２１Ｂに示されるように、縦横比が1.2：１のトリミング枠４０１TRによってトリミングされる。すなわち、ライブビュー原画像４０１においてトリミング枠４０１TRで囲まれる範囲が抽出され反転されることで、図２１Ｃに示されるように、ライブビュー画像がタッチパネルモニタ９３に表示される。
【０１５３】
図２１Ｃは、タッチパネルモニタ９３に表示されるライブビュー表示画面の例を示しており、カメラ９１のライブビュー画像を表示するライブビュー表示領域４１１、および、撮影の結果得られる撮影画像が表示される撮影結果表示領域４１２−１乃至４１２−６から構成されている。このようにして、タッチパネルモニタ９３のライブビュー表示領域４１１には、縦横比が1.2：１のライブビュー画像が表示される。なお、ライブビュー画像においては、クロマキー処理により背景領域に所定の背景画像が合成されるようになる。
【０１５４】
図１８のフローチャートに戻り、ステップＳ３４において、撮影画像取得部３１４は、タッチパネルモニタ９３にカウントダウンインジケータを表示し、撮影タイミングを利用者に通知する。
【０１５５】
撮影タイミングになったとき、ステップＳ３５において、撮影画像取得部３１４は、カメラ９１を制御して下カメラアップ撮影を行い、静止画像である撮影画像（下カメラアップ画像）を取得する。
【０１５６】
すなわち、図２１Ｃのライブビュー表示画面において、図示せぬカウントダウンインジケータで示される数字が０になったときに、ライブビュー表示領域４１１に表示されているライブビュー画像が、縦横比が1.2：１の下カメラアップ画像として得られる。得られた下カメラアップ画像は、撮影した順に、撮影結果表示領域４１２−１乃至４１２−６のうちの所定の領域（具体的には、撮影結果表示領域４１２−１乃至４１２−３）に表示されるようになる。
【０１５７】
ステップＳ３６において、進行制御部３１１は、撮影画像をタッチパネルモニタ９３に表示し、撮影結果を利用者に確認させる。
【０１５８】
ステップＳ３６の後、ステップＳ３７において、進行制御部３１１は、撮影を所定回数繰り返し行ったか否かを判定する。ステップＳ３７において撮影を所定回数行っていないと判定された場合、処理はステップＳ３３に戻り、上述の処理を繰り返し行う。具体的には、３回の下カメラアップ撮影が行われるまで、上述の処理が繰り返される。
【０１５９】
一方、ステップＳ３７において、下カメラアップ撮影を３回繰り返し行ったと判定された場合、処理はステップＳ３８に進み、カメラ駆動制御部３１５は、カメラ９１を上方向に移動させるように、カメラ９１の駆動を制御する。これにより、カメラ９１は、上カメラの状態とされる。
【０１６０】
ステップＳ３９において、進行制御部３１１は、撮影方法のガイダンス画面をタッチパネルモニタ９３に表示させる。具体的には、利用者の顔または上半身を前方斜め上から撮影する上カメラアップ撮影を行う旨のガイダンス画面を表示する。ガイダンス画面を表示した後、撮影画像取得部３１４は、カメラ９１を制御し、画像の取り込みを開始させる。
【０１６１】
なお、上述したように、カメラ９１は、上カメラの状態では、ズームアウトするように焦点距離が調整されるが、ここでは、デジタルズーム機能により、取り込み画像の倍率を電気的に変更することで、上カメラアップ撮影を行う。また、カメラ９１の焦点距離は、図６を参照して説明した機構により調整される以外に、撮影方法に応じてカメラ駆動制御部３１５により調整されるようにしてもよい。
【０１６２】
さらに、上カメラの状態でのカメラ９１のレンズの光軸と水平面とのなす角度（前傾角度）もまた、図７を参照して説明した機構以外の機構を利用して、カメラ駆動制御部３１５により調整されるようにしてもよい。
【０１６３】
ステップＳ４０において、ライブビュー表示制御部３１３は、カメラ９１により取り込まれた動画像（ライブビュー画像）をタッチパネルモニタ９３に表示させる（ライブビュー表示を行う）。
【０１６４】
ステップＳ４１において、撮影画像取得部３１４は、タッチパネルモニタ９３にカウントダウンインジケータを表示し、撮影タイミングを利用者に通知する。
【０１６５】
撮影タイミングになったとき、ステップＳ４２において、撮影画像取得部３１４は、カメラ９１を制御して上カメラアップ撮影を行い、静止画像である撮影画像（上カメラアップ画像）を取得する。
【０１６６】
ステップＳ４３において、進行制御部３１１は、撮影画像をタッチパネルモニタ９３に表示し、撮影結果を利用者に確認させる。
【０１６７】
ステップＳ４３の後、図１９のステップＳ４４において、進行制御部３１１は、撮影方法のガイダンス画面をタッチパネルモニタ９３に表示させる。具体的には、利用者の全身を前方斜め上から撮影する上カメラ全身撮影を行う旨のガイダンス画面を表示する。ガイダンス画面を表示した後、撮影画像取得部３１４は、カメラ９１を制御し、画像の取り込みを開始させる。
【０１６８】
ステップＳ４５において、傾き設定部３１６は、カメラ９１により取り込まれた取り込み画像における被写体の傾きを設定するよう、カメラ９１（カメラ本体９１Ｍ）を、そのレンズの光軸を中心に所定角度だけ回転させる。
【０１６９】
ここで、所定角度は、取り込み画像において、その対角に近い位置に直立した被写体の頭とつま先が収まるようになる角度であり、例えば７°とされる。
【０１７０】
ステップＳ４６において、ライブビュー表示制御部３１３は、カメラ９１により取り込まれた動画像（ライブビュー画像）をタッチパネルモニタ９３に表示させる（ライブビュー表示を行う）。
【０１７１】
図２２は、上カメラ全身撮影時にタッチパネルモニタ９３に表示されるライブビュー画像について説明する図である。
【０１７２】
図２２Ａは、カメラ９１により取り込まれたライブビュー原画像４３１を示している。ライブビュー原画像４３１において、２人の被写体は、カメラ９１の回転角度の分だけ傾いている。このライブビュー原画像４３１は、図２２Ｂに示されるように、縦横比が1.2：１のトリミング枠４３１TRによってトリミングされる。すなわち、ライブビュー原画像４３１においてトリミング枠４３１TRで囲まれる範囲が抽出され反転されることで、図２２Ｃに示されるように、ライブビュー画像がタッチパネルモニタ９３に表示される。図２２Ｃは、タッチパネルモニタ９３に表示されるライブビュー表示画面の例を示しており、タッチパネルモニタ９３のライブビュー表示領域４１１には、縦横比が1.2：１のライブビュー画像が表示される。なお、ライブビュー画像においては、クロマキー処理により背景領域に所定の背景画像が合成されるようになる。
【０１７３】
図１９のフローチャートに戻り、ステップＳ４７において、撮影画像取得部３１４は、タッチパネルモニタ９３にカウントダウンインジケータを表示し、撮影タイミングを利用者に通知する。
【０１７４】
撮影タイミングになったとき、ステップＳ４８において、撮影画像取得部３１４は、カメラ９１を制御して上カメラ全身撮影を行い、静止画像である撮影画像（上カメラ全身画像）を取得する。
【０１７５】
すなわち、図２２Ｃのライブビュー表示画面において、図示せぬカウントダウンインジケータで示される数字が０になったときに、ライブビュー表示領域４１１に表示されているライブビュー画像が、縦横比が1.2：１の上カメラ全身画像として得られる。撮影結果表示領域４１２−１乃至４１２−３には、下カメラアップ画像が表示され、また、撮影結果表示領域４１２−４には、上カメラアップ画像が表示されるので、得られた上カメラ全身画像は、撮影結果表示領域４１２−５，４１２−６に表示されるようになる。
【０１７６】
ステップＳ４９において、進行制御部３１１は、撮影画像をタッチパネルモニタ９３に表示し、撮影結果を利用者に確認させる。
【０１７７】
ステップＳ４９の後、ステップＳ５０において、進行制御部３１１は、撮影を所定回数繰り返し行ったか否かを判定する。ステップＳ５０において撮影を所定回数行っていないと判定された場合、処理はステップＳ５０の処理を繰り返し行う。具体的には、２回の上カメラ全身撮影が行われるまで、上述の処理が繰り返される。
【０１７８】
一方、ステップＳ５０において、上カメラ全身撮影を２回繰り返し行ったと判定された場合、ステップＳ５１において、進行制御部３１１は、撮影可能時間内か否かを判定し、経過時間または残り時間に基づいて、また撮影可能か否かを判定する。ステップＳ５１において、撮影可能であると判定された場合、追加的な撮影、いわゆる「ボーナス撮影」の処理が行われる。
【０１７９】
ステップＳ５２において、進行制御部３１１は、ボーナス撮影のガイダンス画面をタッチパネルモニタ９３に表示させる。ガイダンス画面を表示した後、撮影画像取得部３１４は、カメラ９１を制御し、画像の取り込みを開始させる。
【０１８０】
ステップＳ５３において、ライブビュー表示制御部３１３は、カメラ９１により取り込まれた動画像（ライブビュー画像）をタッチパネルモニタ９３に表示させる（ライブビュー表示を行う）。
【０１８１】
ステップＳ５４において、撮影画像取得部３１４は、タッチパネルモニタ９３にカウントダウンインジケータを表示し、撮影タイミングを利用者に通知する。
【０１８２】
撮影タイミングになったとき、ステップＳ５５において、撮影画像取得部３１４は、カメラ９１を制御してボーナス撮影を行い、静止画像である撮影画像（ボーナス撮影画像）を取得する。
【０１８３】
なお、ボーナス撮影処理においては、カメラ９１は上カメラの状態とされるので、上カメラアップ撮影または上カメラ全身撮影のいずれかが行われるものとする。また、ボーナス撮影を行わずに、２回の上カメラ全身撮影により得られる２枚の上カメラ全身画像のうちの１枚をボーナス撮影画像として扱うようにしてもよい。すなわち、３回の下カメラアップ撮影、１回の上カメラアップ撮影、１回の上カメラ全身撮影に加えて、確率の高いボーナス撮影として上カメラ全身撮影が行われるようにしてもよい。さらに、編集処理においては、得られた撮影画像（ボーナス撮影画像を含む）から編集対象画像が選択されるようになるが、この場合、得られた撮影画像の全て（例えば６枚）が編集対象画像とされるようにしてもよい。
【０１８４】
ステップＳ５６において、進行制御部３１１は、撮影画像をタッチパネルモニタ９３に表示し、撮影結果を利用者に確認させる。その後、処理は図２０のステップＳ５７に進む。
【０１８５】
一方、ステップＳ５１において、撮影可能でないと判定された場合、ステップＳ５２乃至Ｓ５６はスキップし、処理は図２０のステップＳ５７に進む。
【０１８６】
図２０のステップＳ５７において、撮影パラメータ設定部３１２は、撮影画像に写る利用者の目のサイズの選択に用いられる目サイズ選択画面を、タッチパネルモニタ９３に表示させる。
【０１８７】
図２３は、利用者自身が写されている撮影画像を使用して、被写体の目のサイズを選択するのに用いられる目サイズ選択画面の例を示す図である。
【０１８８】
目サイズ選択画面には、撮影の結果得られた撮影画像４４１が表示される。例えば、撮影を６回行ったときには、６枚の撮影画像が得られており、目サイズ選択画面では、６枚の撮影画像４４１−１乃至４４１−６が、画面の中央から左側に表示される。なお、目サイズ選択画面に表示される撮影画像４４１−１乃至４４１−６は、撮影されたままの画像である。
【０１８９】
目サイズ選択画面の右側には、３つの目サイズ選択ボタン４４２−１乃至４４２−３が上から順に表示される。目サイズ選択ボタン４４２−１には、目のサイズが自然な大きさのモデルの目の画像とが表示され、目サイズ選択ボタン４４２−２には、目のサイズが若干大きな（例えば、自然な大きさよりも１割程度大きな）モデルの目の画像とが表示されている。また、目サイズ選択ボタン４４２−２には、この大きさの目サイズを選択することが推奨されることを示唆する「おすすめ」の文字がハート形の図形とともに表示されている。
【０１９０】
目サイズ選択ボタン４４２−３には、目のサイズが比較的大きな（例えば、自然な大きさよりも２割程度大きな）モデルの目の画像とが表示されている。また、目サイズ選択画面の右下側には、目のサイズの選択を決定するときに操作される決定ボタン４４３が表示されている。
【０１９１】
すなわち、ステップＳ５８において、利用者が、目サイズ選択画面の目サイズ選択ボタン４４２−１乃至４４２−３のいずれかに対する操作（タッチ）を行って目のサイズの選択を受け付けると、撮影パラメータ設定部３１２は、タッチパネルモニタ９３から供給された情報に基づいて、目のサイズを選択する。
【０１９２】
ステップＳ５９において、撮影パラメータ設定部３１２は、利用者により選択されたサイズの目が写っている画像になるように、全ての撮影画像４４１−１乃至４４１−６に写る利用者の目のサイズを一括して変更する。
【０１９３】
ステップＳ６０において、撮影パラメータ設定部３１２は、目のサイズを変更した撮影画像４４１−１乃至４４１−６をタッチパネルモニタ９３に表示し、目のサイズの変更結果を利用者に確認させる。
【０１９４】
ステップＳ６１において、撮影パラメータ設定部３１２は、決定ボタン４４３が押されたか否かをタッチパネルモニタ９３から供給された情報に基づいて判定し、押されていないと判定した場合、ステップＳ５８に戻り、上述の処理を繰り返す。
【０１９５】
一方、ステップＳ６１において、決定ボタン４４３が押されたと判定された場合、ステップＳ６２において、撮影パラメータ設定部３１２は、目のサイズを決定し、決定した目のサイズを表す情報を記憶部２０２などに記憶させて保存する。
【０１９６】
ステップＳ６３において、撮影パラメータ設定部３１２は、撮影画像に写る被写体の明るさの選択に用いられる明るさ選択画面をタッチパネルモニタ９３に表示させる。
【０１９７】
図２４は、利用者自身が写されている撮影画像を使用して、被写体の明るさを選択するのに用いられる明るさ選択画面の例を示す図である。
【０１９８】
明るさ選択画面には、撮影の結果得られた撮影画像４７１が表示される。例えば、撮影を６回行ったときには、６枚の撮影画像が得られており、明るさ選択画面では、６枚の撮影画像４７１−１乃至４７１−６が、画面の中央から左側に表示される。
【０１９９】
明るさ選択画面の右側には、５つの明るさ選択ボタン４７２−１乃至４７２−５が上から順に表示される。明るさ選択ボタン４７２−１乃至４７２−５には、「１」から「５」までの数値がそれぞれ表示されているとともに、明るさの異なるモデルがそれぞれ表示されている。明るさ選択ボタン４７２−１乃至４７２−５の「１」から「５」までの数値は、明るさの程度を示しており、数値が大きくなるほど被写体が暗い色合いとなる。
【０２００】
また、明るさ選択画面の右下側には、被写体の明るさを決定するときに操作される決定ボタン４７３が表示されている。
【０２０１】
すなわち、ステップＳ６４において、利用者が、明るさ選択画面の明るさ選択ボタン４７２−１乃至４７２−５のいずれかに対する操作（タッチ）を行って被写体の明るさを選択を受け付けると、撮影パラメータ設定部３１２は、タッチパネルモニタ９３から供給された情報に基づいて、明るさを選択する。
【０２０２】
ステップＳ６５において、撮影パラメータ設定部３１２は、利用者により選択された明るさの被写体になるように、全ての撮影画像４７１−１乃至４７１−６の被写体の明るさを一括して変更する。
【０２０３】
ステップＳ６６において、撮影パラメータ設定部３１２は、被写体の明るさを変更した撮影画像４７１−１乃至４７１−６をタッチパネルモニタ９３に表示し、明るさの変更結果を利用者に確認させる。
【０２０４】
ステップＳ６７において、撮影パラメータ設定部３１２は、決定ボタン４７３が押されたか否かをタッチパネルモニタ９３から供給された情報に基づいて判定し、押されていないと判定した場合、ステップＳ６４に戻り、上述の処理を繰り返す。
【０２０５】
一方、ステップＳ６７において、決定ボタンが押されたと判定された場合、ステップＳ６８において、撮影パラメータ設定部３１２は、被写体の明るさを決定し、決定した明るさを表す情報を記憶部２０２などに記憶させて保存する。
【０２０６】
ステップＳ６８の処理が終了すると、撮影処理は終了され、処理は図１７のステップＳ２に戻る。なお、目サイズ選択処理および明るさ選択処理は、撮影処理ではなく、編集空間において行われる編集処理において実行されるようにしてもよい。
【０２０７】
以上の処理によれば、カメラ９１の上下位置に応じて、取り込み画像における被写体の傾きが設定される。具体的には、下カメラの場合、取り込み画像における被写体の傾きの角度は０度とされ、上カメラの場合、取り込み画像における被写体の傾きの角度は所定角度とされる。これにより、被写体が直立して写る全身画像において、被写体以外の領域の割合が大きくなることなく、被写体部分が強調されるようになり、また、利用者は、その全身画像を確認しながら撮影作業を行うことができるので、利用者にとってより満足度の高い画像を提供することが可能となる。
【０２０８】
また、撮影空間Ａ１においては、床１０４には傾斜が設けられているので、カメラ９１の撮像面に対する足の甲の長さがより長くなり、ヒールのある靴を履いたときと同様に、より足が長く見える全身画像を、違和感なく、またユーザに負担をかけることなく得ることができる。さらに、その全身画像において、被写体は所定角度だけ傾くようになるので、ユニークな構図を実現することができ、結果として、最終的に得られるシール紙の印刷物としての希少価値を高めることができる。
【０２０９】
［撮影処理の他の例］
次に、図２５および図２６のフローチャートを参照して、撮影処理の他の例について説明する。なお、図２５および図２６の撮影処理においては、カメラ９１（カメラ本体９１Ｍ）は、予めそのレンズの光軸を中心に所定角度（例えば７°）だけ回転させられて固定されているものとする。
【０２１０】
また、図２５および図２６のフローチャートのステップＳ１３１，Ｓ１３２，Ｓ１３７乃至Ｓ１５６は、それぞれ図１８および図１９のフローチャートのステップＳ３１，Ｓ３２，Ｓ３６乃至Ｓ４４，Ｓ４６乃至Ｓ５６の処理と基本的に同様であるので、その説明は省略する。また、図２６のフローチャートのステップＳ１５６より先の処理は、図２０のフローチャートのステップＳ５７以降の処理と同様であるので、図示を省略する。
【０２１１】
すなわち、ステップＳ１３３において、傾き設定部３１６は、カメラ９１により取り込まれた取り込み画像における被写体の傾きがなくなるように、取り込み画像を回転してトリミングする。
【０２１２】
ステップＳ１３４において、ライブビュー表示制御部３１３は、傾き設定部３１６により回転されトリミングされた動画像（ライブビュー画像）をタッチパネルモニタ９３に表示させる（ライブビュー表示を行う）。
【０２１３】
図２７は、下カメラアップ撮影時にタッチパネルモニタ９３に表示されるライブビュー画像について説明する図である。
【０２１４】
図２７Ａは、カメラ９１により取り込まれたライブビュー原画像５０１を示している。ライブビュー原画像５０１において、２人の被写体は、カメラ９１の回転角度の分だけ傾いている。このライブビュー原画像５０１は、図２７Ｂに示されるように、２人の被写体の傾きがなくなるように、カメラ９１の回転角度と同じ角度の分だけ回転される。さらに、回転されたライブビュー原画像５０１は、トリミング枠５０１TRによってトリミングされる。これにより、図２７Ｃに示される、被写体の傾きが０度のトリミング画像５１１が得られる。
【０２１５】
ここで、ライブビュー原画像５０１を回転させる前にトリミング枠５０１TRによってトリミングするようにした場合、被写体の傾きが０度のトリミング画像５１１の１ラインを得るには、ライブビュー原画像５０１の画素を斜めに処理する必要があり、演算の負荷が大きくなってしまう。
【０２１６】
そこで、上述したように、ライブビュー原画像５０１を回転してからトリミングすることで、トリミング画像５１１の１ラインを得るときには、ライブビュー原画像５０１の画素が、トリミング画像５１１と同じライン方向に処理されるようになり、演算の負荷を軽減することができる。
【０２１７】
このようにして得られたトリミング画像５１１は、図２７Ｃに示されるように、縦横比が1.2：１のトリミング枠５１１TRによってトリミングされる。すなわち、トリミング画像５１１においてトリミング枠５１１TRで囲まれる範囲が抽出され反転されることで、図２７Ｄに示されるように、ライブビュー画像がタッチパネルモニタ９３に表示される。図２７Ｄは、タッチパネルモニタ９３に表示されるライブビュー表示画面の例を示しており、タッチパネルモニタ９３のライブビュー表示領域４１１には、縦横比が1.2：１のライブビュー画像が表示される。
【０２１８】
ステップＳ１３５において、撮影画像取得部３１４は、タッチパネルモニタ９３にカウントダウンインジケータを表示し、撮影タイミングを利用者に通知する。
【０２１９】
撮影タイミングになったとき、ステップＳ１３６において、撮影画像取得部３１４は、カメラ９１を制御して下カメラアップ撮影を行い、静止画像である撮影画像（下カメラアップ画像）を取得する。
【０２２０】
すなわち、図２７Ｄのライブビュー表示画面において、図示せぬカウントダウンインジケータで示される数字が０になったときに、ライブビュー表示領域４１１に表示されているライブビュー画像が、縦横比が1.2：１の下カメラアップ画像として得られる。
【０２２１】
このようにして、カメラ９１が下カメラの状態で、下カメラアップ撮影が行われ、被写体の傾きの角度を０度とした下カメラアップ画像が得られる。
【０２２２】
また、ステップＳ１４６乃至Ｓ１４８においては、カメラ９１がレンズの光軸を中心に所定角度だけ回転された状態で上カメラ全身撮影が行われるので、被写体の傾きの角度を所定角度とした上カメラ全身画像が得られる。
【０２２３】
以上のように、図２５および図２６の撮影処理においても、図１８乃至図２０の撮影処理と同様の作用効果を奏することができる。
【０２２４】
［撮影処理のさらに他の例］
次に、図２８および図２９のフローチャートを参照して、撮影処理のさらに他の例について説明する。なお、図２８および図２９の撮影処理においては、カメラ９１のレンズの光軸を中心にした回転角度は０°で固定されているものとする。
【０２２５】
また、図２８および図２９のフローチャートのステップＳ２３１乃至Ｓ２４４，Ｓ２４９乃至２５６は、それぞれ図１８および図１９のフローチャートのステップＳ３１乃至Ｓ４４，Ｓ４９乃至Ｓ５６の処理と基本的に同様であるので、その説明は省略する。また、図２９のフローチャートのステップＳ２５６より先の処理は、図２０のフローチャートのステップＳ５７以降の処理と同様であるので、図示を省略する。
【０２２６】
すなわち、ステップＳ２４５において、傾き設定部３１６は、カメラ９１により取り込まれた取り込み画像における被写体が傾くように、取り込み画像を回転してトリミングする。
【０２２７】
ステップＳ２４６において、ライブビュー表示制御部３１３は、傾き設定部３１６により回転されトリミングされた動画像（ライブビュー画像）をタッチパネルモニタ９３に表示させる（ライブビュー表示を行う）。
【０２２８】
図３０は、上カメラ全身撮影時にタッチパネルモニタ９３に表示されるライブビュー画像について説明する図である。
【０２２９】
図３０Ａは、カメラ９１により取り込まれたライブビュー原画像６０１を示している。ライブビュー原画像６０１において、２人の被写体は傾いていない。このライブビュー原画像６０１は、図３０Ｂに示されるように、２人の被写体が所定角度の分だけ傾くように回転される。さらに、回転されたライブビュー原画像６０１は、トリミング枠６０１TRによってトリミングされる。これにより、図３０Ｃに示される、被写体の傾きが所定角度のトリミング画像６１１が得られる。
【０２３０】
ここでも、ライブビュー原画像６０１を回転してからトリミングすることで、トリミング画像６１１の１ラインを得るときに、ライブビュー原画像６０１の画素が、トリミング画像６１１と同じライン方向に処理されるので、ライブビュー原画像６０１を回転させる前にトリミング枠６０１TRによってトリミングする場合と比較して、演算の負荷を軽減することができる。
【０２３１】
このようにして得られたトリミング画像６１１は、図３０Ｃに示されるように、縦横比が1.2：１のトリミング枠６１１TRによってトリミングされる。すなわち、トリミング画像６１１においてトリミング枠６１１TRで囲まれる範囲が抽出され反転されることで、図３０Ｄに示されるように、ライブビュー画像がタッチパネルモニタ９３に表示される。図３０Ｄは、タッチパネルモニタ９３に表示されるライブビュー表示画面の例を示しており、タッチパネルモニタ９３のライブビュー表示領域４１１には、縦横比が1.2：１のライブビュー画像が表示される。
【０２３２】
ステップＳ２４７において、撮影画像取得部３１４は、タッチパネルモニタ９３にカウントダウンインジケータを表示し、撮影タイミングを利用者に通知する。
【０２３３】
撮影タイミングになったとき、ステップＳ２４８において、撮影画像取得部３１４は、カメラ９１を制御して上カメラ全身撮影を行い、静止画像である撮影画像（上カメラ全身画像）を取得する。
【０２３４】
すなわち、図３０Ｄのライブビュー表示画面において、図示せぬカウントダウンインジケータで示される数字が０になったときに、ライブビュー表示領域４１１に表示されているライブビュー画像が、縦横比が1.2：１の上カメラ全身画像として得られる。
【０２３５】
このようにして、カメラ９１が上カメラの状態で、上カメラ全身撮影が行われ、被写体の傾きの角度を所定角度とした上カメラ全身画像が得られる。
【０２３６】
また、ステップＳ２３３乃至Ｓ２３５においては、カメラ９１が回転していない状態で下カメラアップ撮影が行われるので、被写体の傾きの角度を０°とした下カメラアップ画像が得られる。
【０２３７】
以上のように、図２８および図２９の撮影処理においても、図１８乃至図２０の撮影処理と同様の作用効果を奏することができる。
【０２３８】
以上においては、３パターンの撮影処理について説明してきた。
【０２３９】
［３パターンの撮影処理のそれぞれの利点］
ここで、図１８乃至図２０のフローチャートを参照して説明した撮影処理を第１の撮影処理、図２５および図２６のフローチャートを参照して説明した撮影処理を第２の撮影処理、図２８および図２９のフローチャートを参照して説明した撮影処理を第３の撮影処理とすると、第１の撮影処理では、第２および第３の撮影処理と比較して、画素数の多い撮影画像、すなわち、画質のよい撮影画像が得られるようになる。
【０２４０】
具体的には、第２の撮影処理では、図２７を参照して説明したように、トリミング画像５１１をトリミング枠５１１TRによってトリミングすることで、ライブビュー画像（ひいては下カメラアップ画像）が得られる。このトリミング画像５１１は、被写体の傾きをなくすために、ライブビュー原画像５０１がトリミングされて得られたものであり、ライブビュー画像５０１より小さい（画素数の少ない）画像となる。
【０２４１】
一方、第１の撮影処理では、図２１を参照して説明したように、ライブビュー原画像４０１をトリミング枠４０１TRによってトリミングすることで、ライブビュー画像（下カメラアップ画像）が得られる。
【０２４２】
ライブビュー画像（下カメラアップ画像）として画素数の多い画像を得るには、トリミング枠によってトリミングされるトリミング領域を大きくとる必要があるが、図２７Ｃに示されるトリミング画像５１１より、図２１Ｂに示されるライブビュー原画像５０１の方が、トリミング領域を大きくとることができる。すなわち、第１の撮影処理においては、第２の撮影処理と比較して、画質のよい下カメラアップ画像が得られるようになる。
【０２４３】
同様に、上カメラ全身撮影時のライブビュー画像（上カメラ全身画像）として画素数の多い画像を得るにも、トリミング領域を大きくとる必要があるが、図３０Ｃに示されるトリミング画像６１１より、図２２Ｂに示されるライブビュー原画像４３１の方が、トリミングする領域を大きくとることができる。すなわち、第１の撮影処理においては、第３の撮影処理と比較して、画質のよい上カメラ全身画像が得られるようになる。
【０２４４】
また、第１の撮影処理では、取り込み画像における被写体の傾きの設定を、カメラ９１の光軸を中心とした回転によって実現している。
【０２４５】
一方、第２および第３の撮影処理では、取り込み画像における被写体の傾きの設定を、取り込み画像の回転およびトリミングといった画像処理によって実現している。
【０２４６】
したがって、第２および第３の撮影処理においては、第１の撮影処理と比較して、カメラ９１の回転を行わない分、カメラ９１を備える撮影・表示ユニットの機械的な負荷が低減させることができる。
【０２４７】
［画像の縦横比について］
なお、上述した第１乃至第３の撮影処理においては、下カメラアップ撮影時のライブビュー画像および撮影画像（下カメラアップ画像）、ならびに上カメラ全身撮影時のライブビュー画像および撮影画像（上カメラ全身画像）のいずれも、その縦横比を1.2：１とするようにしたが、下カメラアップ撮影時のライブビュー画像の縦横比を1.2：１とし、上カメラ全身撮影時のライブビュー画像の縦横比を４：３とするようにしてもよい。
【０２４８】
このように、下カメラアップ撮影と上カメラ全身撮影とで、ライブビュー画像の見せ方を変えることで、利用者にどの種類の撮影を行うのかを認識させることができる。
【０２４９】
上カメラ全身撮影時のライブビュー画像の縦横比が1.2：１である場合、直立して写る利用者が、見切れないように屈むなどして無理に画角に入ろうとし、よい構図の撮影画像が得られない恐れがある。
【０２５０】
そこで、上カメラ全身撮影時のライブビュー画像の縦横比を４：３とすることで、上カメラ全身撮影時のライブビュー画像において、利用者が自然な姿勢でいても頭やつま先が見切れないようになり、縦横比が1.2：１の上カメラ全身画像においては、被写体の体の一部が若干見切れた、よい構図を実現することができる。
【０２５１】
また、上述した内容に加え、ライブビュー画像と同様に、下カメラアップ画像の縦横比を1.2：１とし、上カメラ全身画像の縦横比を４：３とするようにしてもよい。これにより、撮影の種類（被写体の収まり方）に適した撮影画像が得られるようになる。
【０２５２】
さらに、上述した写真シール作成装置１において、カメラ９１は、上下方向に駆動するものとしたが、その他の所定方向に駆動するようにしてもよい。具体的には、カメラ９１は、左右方向（水平方向）に駆動するようにしてもよいし、上下方向または左右方向を弦として、光軸方向に孤を描くように駆動するようにしてもよいし、レンズ面が同一平面上にあるように、自動車のワイパーのような搖動運動をするようにしてもよい。
【０２５３】
［カメラの位置について］
上述した説明においては、カメラ９１の上下位置は、下カメラアップ撮影時の位置（以下、下カメラ位置という）と、上カメラアップ撮影時または上カメラ全身撮影時の位置（以下、上カメラ位置という）のみとしたが、必要に応じて、これら以外の位置にカメラ９１が位置するようにしてもよい。
【０２５４】
例えば、撮影処理において、利用者に、撮影画像の背景として合成される背景用合成用画像を選択させてから撮影を行うような場合、選択された背景用合成用画像に応じて、利用者と背景とのバランスが最良となるような位置に、カメラ９１を駆動させるようにしてもよい。
【０２５５】
また、撮影空間内での利用者の立ち位置に応じて、取り込み画像における利用者の配置が最良となるような位置に、カメラ９１を駆動させるようにしてもよい。この場合、利用者の立ち位置は、例えば、取り込み画像に対して人検出を行うことで推定されるようにしたり、床１０４に感圧センサを設ける等して検知されるようにできる。
【０２５６】
さらに、上述した例において、カメラ９１の位置とともに、カメラ９１のズーム機能（焦点距離）が調整されるようにしてもよい。
【０２５７】
また、上カメラ位置および下カメラ位置を含むカメラ９１の上下位置や、その上下位置に応じたカメラ９１の焦点距離に応じて、照明装置２２２（ストロボ）の発光を制御するようにしてもよい。
【０２５８】
具体的には、例えば、カメラ９１の上下位置が上カメラ位置で、ズームアウトするように焦点距離が調整されている場合、すなわち、上カメラ全身撮影が行われる場合には、利用者の全身（顔から足元まで）が照射されるように、発光させるストロボの数や位置が制御される。また、カメラ９１の上下位置が下カメラ位置で、ズームインするように焦点距離が調整されている場合、すなわち、下カメラアップ撮影が行われる場合には、利用者の顔付近が照射されるように、発光させるストロボの数や位置が制御される。
【０２５９】
なお、発光させるストロボの数や位置が制御される以外に、発光させるストロボの明るさが制御されるようにしてもよい。
【０２６０】
ところで、以上においては、カメラ９１の上下位置に応じて、カメラ９１のレンズの光軸と水平面とのなす角度（前傾角度）が決まるようにしたが、カメラ９１の上下位置によらず、前傾角度がついたような撮影画像が得られるようにもできる。
【０２６１】
［前傾角度をつける画像処理の例］
以下においては、カメラ９１により取り込まれた取り込み画像に対して、見かけ上前傾角度をつける画像処理を行う例について説明する。
【０２６２】
図３１は、図１５の撮影処理部３０１の他の構成例を示す機能ブロック図である。
【０２６３】
図３１の例において、撮影処理部３０１は、進行制御部３１１、撮影パラメータ設定部３１２、ライブビュー表示制御部３１３、撮影画像取得部３１４、カメラ駆動制御部３１５、および台形画像変換部６５１から構成される。
【０２６４】
なお、図３１の撮影処理部３０１において、図１６の撮影処理部に設けられたものと同様の機能を備える構成については、同一名称および同一符号を付するものとし、その説明は省略する。
【０２６５】
台形画像変換部６５１は、撮影画像を、見かけ上（擬似的に）前傾角度をつけた画像である台形画像に変換する処理を行う。
【０２６６】
次に、図３２のフローチャートを参照して、見かけ上前傾角度をつける画像処理を含む撮影処理の例について説明する。なお、ここでの撮影処理においても、カメラ９１のレンズの光軸を中心にした回転角度は０°で固定されているものとする。
【０２６７】
また、図３２のフローチャートのステップＳ３４４より前の処理は、図２８のフローチャートのステップＳ２３１乃至Ｓ２４３の処理と同様であり、図３２のフローチャートのステップＳ３５６より先の処理は、図２０のフローチャートのステップＳ５７以降の処理と同様であるので、それぞれ図示を省略する。
【０２６８】
さらに、図３２のフローチャートのステップＳ３４４，Ｓ３４９乃至Ｓ３５６は、図１９のフローチャートのステップＳ４４，Ｓ４９乃至Ｓ５６の処理と基本的に同様であるので、その説明も省略する。
【０２６９】
すなわち、ステップＳ３４５において、台形画像変換部６５１は、カメラ９１により取り込まれた取り込み画像を台形画像に変換してトリミングする。
【０２７０】
ステップＳ３４６において、ライブビュー表示制御部３１３は、台形画像変換部６５１により台形画像に変換されトリミングされた動画像（ライブビュー画像）をタッチパネルモニタ９３に表示させる（ライブビュー表示を行う）。
【０２７１】
図３３は、取り込み画像の台形画像への変換について説明する図である。
【０２７２】
図３３Ａは、カメラ９１により取り込まれたライブビュー原画像７０１を示している。ライブビュー原画像７０１は、図３３Ｂに示されるように、見かけ上、カメラ９１の上下位置が、上カメラ位置よりさらに上の位置で撮影されたような（ライブビュー原画像７０１の下側を歪ませた）台形画像に変換される。
【０２７３】
ここで、台形画像への変換は、カメラ９１の焦点距離（レンズと撮像素子との距離）と、被写体（利用者）と撮像素子の撮像面とのなす角度の変化（すなわち、ライブビュー原画像７０１に対してつける見かけ上の前傾角度）とを用いて、ライブビュー原画像７０１を射影変換することにより行われる。射影変換は、２次元平面における矩形を任意の四辺形に変形するときに用いられる幾何学的手法である。
【０２７４】
このようにして得られた台形画像７１１は、トリミング枠７１１TRによってトリミングされる。これにより、図３３Ｃに示される、見かけ上前傾角度（例えば＋15°）がつけられたトリミング画像７２１が得られる。この場合、トリミング画像７２１（台形画像７１１）は、カメラ９１の実際の前傾角度33°に、見かけ上の前傾角度15°を加えた48°の前傾角度で撮影されたような画像となる。
【０２７５】
なお、図示はしないが、得られたトリミング画像７２１が、縦横比が1.2：１のトリミング枠によってトリミングされて反転されることで、ライブビュー画像がタッチパネルモニタ９３に表示されるようになる。
【０２７６】
ステップＳ３４７において、撮影画像取得部３１４は、タッチパネルモニタ９３にカウントダウンインジケータを表示し、撮影タイミングを利用者に通知する。
【０２７７】
撮影タイミングになったとき、ステップＳ３４８において、撮影画像取得部３１４は、カメラ９１を制御して上カメラ全身撮影を行い、静止画像である撮影画像（上カメラ全身画像）を取得する。
【０２７８】
このようにして、見かけ上、上カメラ全身撮影が行われる上カメラ位置よりもさらに上の位置で撮影されたような上カメラ全身画像が得られる。
【０２７９】
なお、以上においては、ライブビュー原画像が、見かけ上、上カメラ位置よりさらに上の位置で撮影されたような台形画像に変換される例について説明したが、見かけ上、上カメラ位置より下の位置で撮影したような台形画像に変換されるようにもできる。
【０２８０】
この場合、図３４Ａに示される、カメラ９１により取り込まれたライブビュー原画像７０１は、図３４Ｂに示されるように、見かけ上、カメラ９１の上下位置が、上カメラ位置より下の位置で撮影されたような（ライブビュー原画像７０１の上側を歪ませた）台形画像に変換される。
【０２８１】
このようにして得られた台形画像７６１は、トリミング枠７６１TRによってトリミングされる。これにより、図３４Ｃに示される、見かけ上前傾角度（例えば−15°）がつけられたトリミング画像７７１が得られる。なお、この場合、トリミング画像７７１（台形画像７６１）は、カメラ９１の実際の前傾角度33°から、見かけ上の前傾角度15°を減じた18°の前傾角度で撮影されたような画像となる。
【０２８２】
以上のように、カメラ９１により取り込まれた取り込み画像に対して、見かけ上前傾角度をつける画像処理を行うことができる。これにより、例えば、写真シール作成装置１の構造上、または、駆動機構の故障により、カメラの上下方向の駆動範囲に制限があるような場合にも、カメラの上下位置が、あたかもその駆動範囲を超えて撮影されたような撮影画像を得ることができる。
【０２８３】
なお、以上においては、上カメラ全身撮影時の取り込み画像に対して、見かけ上前傾角度をつける画像処理を行うようにしたが、上カメラアップ撮影時や下カメラアップ撮影時の取り込み画像に対して、同様の処理を行うようにしてよい。
【０２８４】
また、以上においては、見かけ上、上下方向に角度をつける画像処理を行うようにしたが、射影変換を用いることにより、見かけ上、左右方向に角度をつける画像処理を行うようにもできる。これにより、あたかも利用者から見て前方斜め右（または前方斜め左）から撮影されたような撮影画像を得ることができる。
【０２８５】
このように、様々な角度から撮影されたような撮影画像を得ることができるので、利用者にとってより満足度の高い画像を提供することが可能となる。
【０２８６】
なお、図３１における台形画像変換部６５１を、図１６の撮影処理部３０１に備えるようにして、被写体の傾きが設定された画像に対して、見かけ上の角度をつけるようにしてもよい。
【０２８７】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２８８】
この記録媒体は、例えば、図１４に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２８９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【符号の説明】
【０２９０】
１  写真シール作成装置
１１  撮影ユニット
２１  撮影部
２２  背景部
８１  撮影・表示ユニット
９１  カメラ
９２  カメラストロボ
９３  タッチパネルモニタ
１０４  床
２０１  制御部
２０８  撮影部
２０９  編集部
２１０  事後接客部
３０１  撮影処理部
３０２  編集処理部
３０３  印刷処理部
３０４  事後接客処理部
３１１  進行制御部
３１２  撮影パラメータ設定部
３１３  ライブビュー表示制御部
３１４  撮影画像取得部
３１５  カメラ駆動制御部
３１６  傾き設定部
６５１  台形画像変換部
【図１】
0005565640.tif 000002
【図２】
0005565640.tif 000003
【図３】
0005565640.tif 000004
【図４】
0005565640.tif 000005
【図５】
0005565640.tif 000006
【図６】
0005565640.tif 000007
【図７】
0005565640.tif 000008
【図８】
0005565640.tif 000009
【図９】
0005565640.tif 000010
【図１０】
0005565640.tif 000011
【図１１】
0005565640.tif 000012
【図１２】
0005565640.tif 000013
【図１３】
0005565640.tif 000014
【図１４】
0005565640.tif 000015
【図１５】
0005565640.tif 000016
【図１６】
0005565640.tif 000017
【図１７】
0005565640.tif 000018
【図１８】
0005565640.tif 000019
【図１９】
0005565640.tif 000020
【図２０】
0005565640.tif 000021
【図２１】
0005565640.tif 000022
【図２２】
0005565640.tif 000023
【図２３】
0005565640.tif 000024
【図２４】
0005565640.tif 000025
【図２５】
0005565640.tif 000026
【図２６】
0005565640.tif 000027
【図２７】
0005565640.tif 000028
【図２８】
0005565640.tif 000029
【図２９】
0005565640.tif 000030
【図３０】
0005565640.tif 000031
【図３１】
0005565640.tif 000032
【図３２】
0005565640.tif 000033
【図３３】
0005565640.tif 000034
【図３４】
0005565640.tif 000035